(57)【特許請求の範囲】
【請求項１】
梁の端部と柱を当該柱にボルト止めされたフランジ部と前記梁にボルト止めされたウェブ部とからなる接合金物によって接合し、かつ前記梁の上にコンクリート床版を形成してなる合成梁構造において、前記接合金物のウェブ部が前記梁の梁幅より広く形成され、当該ウェブ部の前記梁にボルト止めされた位置の外側に複数のスタッドが突設されてなることを特徴とする合成梁構造。
【請求項２】
前記接合金物にスプリットティが用いられていることを特徴とする請求項１記載の合成梁構造。
【発明の詳細な説明】
【技術分野】
【０００１】
本発明は、柱にスプリットティ接合された梁と当該梁の上に形成されたコンクリート床版とからなる合成梁構造に関し、特に梁端部におけるコンクリート床版と梁との一体化を向上させたものである。
【背景技術】
【０００２】
鋼構造において、柱に梁の端部をスプリットティを用いて接合するスプリットティ接合が知られている。また、梁と当該梁の上に形成されたコンクリート床版が一つの梁として働くように一体的に構成された合成梁構造が知られている。
【０００３】
スプリットティ接合は、スパンの誤差を吸収しやすく現場接合が容易な接合構造とされており、合成梁構造はＴ型梁として荷重に抵抗し、鉛直荷重に対しては通常コンクリート部分が圧縮力を、鉄骨部分が引張り力をそれぞれ受け持つため、経済的であるとされ、しかも鋼材重量の軽減と梁成の低減が可能な構造とされている。
【０００４】
ところで、例えば図３に図示するように、「鋼構造接合部設計指針」によると、柱１０に梁１１の端部をスプリットティ接合する場合、スプッリトティ１２の横幅は最大でも梁１１の梁幅と同じに形成され、柱１０側には縦横それぞれ２列の計４本の接合ボルト１３によって接合するとされている。
【０００５】
また、合成梁構造においては、梁１１と当該梁１１の上に形成されたコンクリート床版１４とを一体化させるために、梁１１の上に複数のスタッド(シアコネクター)１５が突設されている。
【特許文献１】特開２０００−２４０１５１号公報
【発明の開示】
【発明が解決しようとする課題】
【０００６】
しかし上記した構成では、応力が最も大きくなる梁端部のスプリットティ接合部には、接合ボルト１３が障害になってスタッド１５を突設することができず、このため梁端部については合成梁構造とすることができないという課題があった。
【０００７】
一般に、梁端部の上端側には長期荷重による応力に加えて地震・風荷重による応力も作用するため、梁端部の上端側は下端側より接合耐力を大きくする必要がある。  
【０００８】
例えば、図示するように、梁１１の端部を柱１０にスプリットティ接合した場合、梁端部の上端側と下端側の接合部の耐力は、柱１０のフランジ１０ａとスプリットティ１２のフランジ部１２ａの曲げ耐力によって決定されてしまうため、接合部全体の耐力は常に引張り側である上端側接合部の耐力で決定されてしまう。したがって、梁１１の端部を柱１０にスプリットティ接合するには、上端側の接合部を下端側の接合部より耐力を大きくする必要があった。
【０００９】
本発明は、以上の課題を解決するためになされたもので、特に応力の最も大きくなる梁端部における梁とコンクリート床版との一体化をより向上させて梁端部の接合耐力を著しく向上させた合成梁構造を提供することを目的とする。
【課題を解決するための手段】
【００１０】
請求項１記載の合成梁構造は、梁の端部と柱を当該柱にボルト止めされたフランジ部と前記梁にボルト止めされたウェブ部とからなる接合金物によって接合し、かつ前記梁の上にコンクリート床版を形成してなる合成梁構造において、前記接合金物のウェブ部が前記梁の梁幅より広く形成され、かつ当該ウェブ部の前記梁にボルト止めされた位置の外側に複数のスタッドが突設されてなることを特徴とするものである。
【００１１】
本発明は、上記した接合金物の梁側にボルト止めされたウェブ部を梁幅より幅広に形成して当該ウェブ部にもスタッドを突設したことにより、梁端部における当該梁とコンクリート床版との一体化を向上させ、梁端部の接合耐力を著しく向上させたものである。この場合の接合金物としては、例えばスプリットティを用いることができ、接合ボルトには高力ボルトを用いるのがよい。
【００１２】
請求項２記載の合成梁構造は、請求項１記載の合成梁構造において、前記接合金物にスプリットティが用いられていることを特徴とするものである。スプリットティを用いることにより、スパンの誤差を吸収しやすく現場接合が容易になる。
【発明の効果】
【００１３】
本発明は、接合金物の横幅を梁幅より広くして、接合金物にもスタッドを突設したことで、梁端部におけるコンクリート床版と梁との一体化をより向上させることができ、これにより応力の最も大きくなる梁端部の接合耐力を著しく高めることができ、特にスプリットティを用いた接合部に適している。
【発明を実施するための最良の形態】
【００１４】
図１と図２は、本発明の合成梁構造の一例を示し、図において、柱１に梁２の端部がスプリットティ３，３によって接合されている。また、梁２の上にコンクリート床版４が形成されている。
【００１５】
柱１と梁２には共にＨ形鋼などの形鋼梁や組立梁などが用いられ、柱１のフランジ１ａに２個のスプリットティ３，３が梁２の上下フランジ２ａと２ｂの高さに合わせて突設されている。
【００１６】
そして、当該スプリットティ３，３に梁２の上フランジ２ａと下フランジ２ｂの端部がそれぞれ接合されている。また、梁２の上フランジ２ａには複数のスタッド５が梁２の全長にわたって所定間隔おきに突設されている。
【００１７】
スプリットティ３は、柱１のフランジ１ａに添って鉛直に突設され、当該フランジ１ａに複数の接合ボルト６によってボルト止めされたフランジ部３ａと、当該フランジ部３ａのほぼ中央に梁２側に向って水平に突設され、梁２の上フランジ２ａの上側と下フランジ２ｂの下側にそれぞれ複数の接合ボルト６によってボルト止めされたウェブ部３ｂとから形成されている。
【００１８】
また特に、梁２の上フランジ２ａの高さに合わせて突設されたスプリットティ３は梁２の梁幅より幅広く、柱１の柱幅と略同じ幅に形成されている。すなわち、当該スプリットティ３のフランジ部３ａは柱１のフランジ１ａの横幅と略同じ幅に形成され、ウェブ部３ｂは梁２のフランジ２ａの横幅より幅広く、かつ柱１のフランジ１ａの横幅と略同じ幅に形成されている。
【００１９】
そして、フランジ部３ａはウェブ３ｂの上下両側において、縦４列、横２列の計８本の接合ボルト６によって柱１のフランジ１ａにボルト止めされ、ウェブ部３ｂは上フランジ２ａのスタッド５が突設された位置の延長線上において、縦２列の複数の接合ボルト６によって上フランジ２ａの上側にボルト止めされている。また、ウェブ部３ｂには各接合ボルト６の外側に位置して複数のスタッド５が突設されている。
【００２０】
コンクリート床版４はデッキプレート等の鋼板を型枠として形成され、梁２の上フランジブ２ａに突設された複数のスタッド５によって梁２と一体的に形成されている。また、少なくとも梁２端部の両側に複数の補強筋７を梁２に添って配筋することにより、特に梁２の端部におけるコンクリート床版４の補強がなされている。
【００２１】
このような構成において、特に応力が最も大きくなる梁端部のスプリットティ接合部にも複数のスタッド５が突設されたことで、梁端部を含む梁２の全長において、梁２とコンクリート床版４との一体化を図ることができる。
【産業上の利用可能性】
【００２２】
本発明は、梁端部を含む梁の全長において、梁とコンクリート床版とを一体化させた合成梁構造を提供することができる。
【図面の簡単な説明】
【００２３】
【図１】本発明の合成梁構造の一例を示す斜視図である。
【図２】本発明の合成梁構造の一例を示し、(ａ)はその横断面図、(ｂ)は縦断面図である。
【図３】従来の合成梁構造の一例を示す斜視図である。
【符号の説明】
【００２４】
１  柱
１ａ  フランジ部
２  梁
２ａ  上フランジ
２ｂ  下フランジ
３  スプリットティ
３ａ  フランジ部
３ｂ  ウェブ部
４  コンクリート床版
５  スタッド
６  接合ボルト
７  補強筋
【図１】
0004696843.tif 000002
【図２】
0004696843.tif 000003
【図３】
0004696843.tif 000004